(57)【要約】【課題】  フリーズ極小でウィルス侵入の恐れがなく、予約端末装置等に用いて利便性が高く、商品価値が軽減させることのない業務用インターネット端末システム及びそれに用いる端末装置を提供する。【解決手段】インターネットに業務管理を行うサーバと、各入出力作業を行う端末装置を接続し、前記サーバで全体総括しながら各端末で個別処理を行う業務用インターネット端末システムにおいて、前記端末装置として、プログラマブルコントローラを含めたフリーズ極小の特製コンピュータを配置し、前記特製コンピュータと、前記インターネットとの間に、シリアル通信及びＨＴＴＰプロトコルによる通信とのインターフェイスとなるプロトコル変換ユニットを配置したことを特徴とする業務用インターネット端末システム。【選択図】      図1
2005174001.tif 000002
【特許請求の範囲】
【請求項１】
インターネットに業務管理を行うサーバと、各入出力作業を行う複数の端末装置とを接続し、前記サーバで全体総括しながら各端末で個別処理を行う業務用インターネット端末システムにおいて、
各端末装置として、プログラマブルコントローラを含めたフリーズ極小の特製コンピュータを配置し、
前記特製コンピュータと、前記インターネットとの間に、シリアル通信及びＨＴＴＰプロトコルのインターフェイスとなるプロトコル変換ユニットを配置し、
前記プロトコル変換ユニットと前記特製コンピュータとの間は、シリアル通信回線で接続し、
前記サーバには、各クライアントの処理要求信号を入力して総括処理し、その内容を所要の端末装置へ報告するサーバ通常処理部を備え、
各端末装置には、各端末に直接入力のあった処理要求信号を個別処理しその内容を前記サーバへ報告する端末通常処理部を備え、
各端末装置は、前記サーバとのみ交信可能としたことを特徴とする業務用インターネット端末システム。
【請求項２】
前記特製コンピュータには、クライアントが直接入出力処理を行うことができるタッチパネルを備えた表示ユニットと、所要の内容を紙出力可能のプリンタとが接続されることを特徴とする請求項１に記載の業務用インターネット端末システムに用いる端末装置。
【請求項３】
前記表示ユニットは、前記特製コンピュータに対し固定的なものと、携帯可能なものとが並列配置されることを特徴とする請求項２に記載の端末装置。
【発明の詳細な説明】
【技術分野】
【０００１】
本発明は、インターネットに予約等の業務管理を行うサーバと、予約内容の受付けやその結果出力等の入出力作業を行う複数の端末装置を接続し、前記サーバで全体総括しながら各端末で個別処理を行う業務用インターネット端末システム及びそれに用いる端末装置に関する。
【背景技術】
【０００２】
現在インターネットを利用した業務用端末システムは、全体を総括管理するデータベースサーバに接続されるwww(World Wide Web)サーバと、全国又は全世界の店舗等に設置されている据え置き型の端末装置とで構成されている形態が多い。その場合、主に端末装置としてパソコンが用いられる。そして、その通信方式としてTCP/IP(Transmission Control Protocol/Internet Protocol)プロトコルという通信規約に従った接続方式によりwwwサーバを介してデータベースサーバと端末装置間の通信を行っている。
【０００３】
このHTTPプロトコルの基盤となっているTCP/IPプロトコルは、IP(Internet Protocol)を中心とした複数のプロトコルの集合として成り立っており、階層構造になっている。データを送受信するためには例えば、アプリケーション層で通信するプログラムを利用し、トランスポート層で確実にデータが送られるかどうかを確認し、IPアドレスで規定される送り先へ向かってどのような経路でデータを送るのかを決定し、データリンク層で物理的なネットワーク機器へアクセスするという手順をとる。階層構造になっているのはこのような機能を分離し、送信時は上位から下位へ、受信時は下位から上位へデータを受け渡すことで円滑なデータ通信・設計を可能にするためである。つまり、TCP/IPはパケット通信を行う際のデータ送受信の通信規格ということになる。
【０００４】
ところが、端末装置の使用環境が高温多湿な環境下であったり、予約業務のため頻繁に操作すると、パソコンが反応しなくなるフリーズ現象を回避するのは現在においては非常に困難である。また、再起動を行うと復帰させることは可能であるが、その度に数分待つことを必要とされる。そして、この現象が業務中に発生すると、予約端末装置としての利便性が損なわれ、商品価値は極端に軽減されてしまう。
【０００５】
特開平11-85661号公報（通信インターフェイス装置及び対象機器並びに通信方法）に見られるように、従来、制御機器をインターネットに接続する場合、インターネットに接続されるコンピュータに対し、ソケットサーバを用いて接続することは可能である。しかし、業務用サーバは、全国に分散されている多数の端末装置に対して設置されるものであり、この方式は業務用インターネット端末装置では利用できなかった。
【特許文献１】特開平11-85661号公報、第１頁、図１
【発明の開示】
【発明が解決しようとする課題】
【０００６】
本発明は、端末装置の使用環境が高温多湿な環境であっても、予約業務のため頻繁に操作してもフリーズの恐れがなく、またウィルス侵入による被害がないなど、予約端末装置等に用いて利便性が高く、商品価値が軽減されることのない業務用インターネット端末システム及びそれに用いる端末装置を提供することを目的とする。
【課題を解決するための手段】
【０００７】
上記課題を解決することができる本発明の業務用インターネット端末システムは、インターネットに業務管理を行うサーバと、各入出力作業を行う複数の端末装置とを接続し、前記サーバで全体総括しながら各端末で個別処理を行う業務用インターネット端末システムにおいて、
各端末装置として、プログラマブルコントローラを含めたフリーズ極小の特製コンピュータを配置し、
前記特製コンピュータと、前記インターネットとの間に、シリアル通信及びＨＴＴＰプロトコルのインターフェイスとなるプロトコル変換ユニットを配置し、
前記プロトコル変換ユニットと前記特製コンピュータとの間は、シリアル通信回線で接続し、
前記サーバには、各クライアントの処理要求信号を入力して総括処理し、その内容を所要の端末装置へ報告するサーバ通常処理部を備え、
各端末装置には、各端末に直接入力のあった処理要求信号を個別処理しその内容を前記サーバへ報告する端末通常処理部を備え、
各端末装置は、前記サーバとのみ交信可能としたことを特徴とする。
【０００８】
前記特製コピュータには、クライアントが直接入出力処理を行うことができるタッチパネルを備えた表示ユニットと、所要の内容を紙出力可能のプリンタとを接続し、タッチ操作で便利に利用できる端末装置とすることができる。
【０００９】
また、前記表示ユニットは、前記特製コンピュータに対し固定的なものと、携帯可能なものとを並列配置し、店或いはクライアントの同時的使用を可能とすることができる。
【００１０】
特製コンピュータとしては、プログラマブルコントローラ（PLC）の他、各種コンピュータを用いることができるが、実環境テストにて、フリーズ極小であることが条件である。
【００１１】
プロトコル変換ユニットは、上記の特製コンピュータをインターネットと接続可能とし、インターネットを介して前記サーバと交信できる形のものであれば良い。具体的には、HTTPプロトコルをシリアル通信に変換する翻訳器を付属させると共に、当該端末と前記サーバとを個別に交信可能とすれば良い。このようにすれば、１つの端末に対しクライアントである携帯電話やパソコン等から同時的に複数発生する発呼をサーバ側で順次処理し、恰も各端末に対する同時処理が可能となる。
【発明の効果】
【００１２】
以上の通り、本発明の業務用インターネット端末システムによれば、特許請求の範囲に記載の通りの構成を有するので、フリーズ極小で、ウィルス侵入による心配がなく、複数利用者の同時的処理までが可能である。
【００１３】
本発明の端末装置によれば、タッチパネルを備えた表示ユニットを設けるので、各地クライアントに対しての適切表示が可能であり、各店に対して最適の入力形態を設定できる。
【００１４】
また、表示ユニットとして固定のものの他に携帯用のものを含める場合には、店とクライアント、又はクライアント同士において、同時的に複数のものが任意の位置で利用可能であり、利用勝手が非常に良い。
【発明を実施するための最良の形態】
【００１５】
以下、添付図面を参照しつつ本発明を実施するための最良の形態を説明する。図１は、本発明を実施した業務用インターネット端末システムの全体構成を示す説明図である。業務内容は、レストラン等での予約受付けとする。図２は、図１に示した予約端末装置の外観を示す斜視図である。
【００１６】
図１に示すように、予約サーバ１はデータベースサーバ１とウェブサーバ２とで構成され、ウェブサーバ２は、パケット交換機３−１と接続されている。一方、端末装置４は、その内部に配置されたプロトコル変換ユニット５を介して、パケット交換機３−３に接続されている。各パケット交換機３−１、３−２、３−３、３−４は、インターネット通信回線６を介して相互に接続されている。端末装置４は、全国各地に散在される。
【００１７】
前記サーバ１、２は、各端末装置４に対し、個別に交信可能である。交信は通常のパケット通信であり、データを複数のパケット(1)、(2)、(3)に分岐し、順次インターネット通信回線６に対し出力することができる。
【００１８】
送信側のパケット交換機３−１は、最適ルートを選択し、各パケットを最適ルートを通して出力する。受信側のパケット交換機は、転送毎にデータの誤りをチェックした上で、受信されたパケット(1)、(2)、(3)の順序を揃え、プロトコル変換ユニット５に対し送信する。
【００１９】
プロトコル変換ユニット５は、順次送られてくるパケット(1)、(2)、(3)を受信し、プロトコル変換してデータ復元し、端末装置４の本体部分（図３で詳述する）にシリアル回線７を介して送信する。このとき、端末装置４に対しての送信は、サーバ１からのみのものが可能で、プロトコル変換ユニット５は、複数信号の整理は不要であり、簡易構成とすることができる。
【００２０】
図２に示すように、端末装置４は、正面の液晶又はプラズマパネル等の表示ユニット８に各種の情報を表示させ、この表示ユニット８のタッチ式パネル９を操作することができる情報端末であり、このパネル９の下方に供えたプリンタ１０から上方に向けて印字シート（図示せず）を出力することができる。
【００２１】
図３に示すように、インターネット通信回線６には、ウェブサーバ２を介して、データベースサーバ１が接続されている。同じく、インターネット回線６には、全国各地に散在されて端末装置４が接続されている。各端末装置４には夫々のアドレス４iが付けられている。端末装置４が、例えばレストランの予約受付け用のものである場合には、例えば、東京本店のものにはアドレスiが付けられ、支店には、それに続く別番号i+１、i+２…が付けられる等である。
【００２２】
各端末装置４のプロトコル変換ユニット５は、シリアル通信線７を介して特性コンピュータ、例えば市販のPLCユニット１１が接続される。PLCユニット１１は、PLC本体１１aと、記憶装置１１bとシリアル通信器１１cを有し、このシリアル通信器１１cと前記プロトコル変換ユニット５が接続される。
【００２３】
一方、前記プロトコル変換ユニット５は、変換器５aと、シリアル通信器５bと、記憶装置５cとを有し、このシリアル通信器５bが前記PLCユニット１１のシリアル通信器１１cと接続されている。
【００２４】
さらに、前記PLCユニット１１には、図２で示した表示ユニット８が接続される。表示ユニット８は、その表面にタッチパネル９を有し、専用の記憶装置１２が付属される。これらユニット５、８、１１は、夫々ユニット構成されているので、任意に組み合せできる。しかも、各ユニットには夫々固有の記憶装置５ｃ、１１b、１２を設けられているので、仕様に応じ、容易に構成できる。
【００２５】
前記インターネット通信回線６には、携帯電話やパソコン等による無数のクライアント端末１３、１４が接続された形である。各店の端末装置４は固有のアドレスを有し、各クライアントは、実際来店して各店の端末装置４を操作可能であると共に、自己の端末１３、１４を用いて、各店の各アドレスに対して予約注文可能である。ただし、このときの予約注文は、各店の端末に対するものと同様に、サーバ１、２を介して行われる。
【００２６】
図３の各部材についての詳細を示すと、データベースサーバ１は、データベースによる情報管理により、パソコン１４や携帯電話１３又は端末装置４を直接使用するクライアントを通じて、予約情報などの各種データサービスを行うための中心的役割を担うサーバであり、予約システム全体を総括する装置である。ソフトウェアはマイクロソフトのSQLサーバ等、必要とする能力や機能に応じて選択し、適したものが使われている。
【００２７】
ウェブサーバ２は、多くの各種クライアントとデータベースサーバ１とが、インターネット通信回線６を通じて高速でリアルタイムに情報の送受信が行われるために必要なサーバである。各クライアントとデータベースサーバ１のインターフェイスの役割を果す。
【００２８】
表示ユニット８は、データベースサーバ１から受信し、PLCユニット１１内部の記憶装置１１bに蓄積された記憶情報を、文字、数値、画像などに変換し、表示したり、タッチパネル９により操作された操作情報をPLC１１aに伝送する機能を有する。記憶装置１２には、作画情報やPLC１１aの情報を読み書きさせるための制御プログラム等が記憶されている。
【００２９】
PLCユニット１１は、タッチ式の表示ユニット８から得られた操作情報に基いて、必要なデータを作成し、必要に応じてサーバ１への情報送信要求などの命令を作成し、文字列の情報に変換し、それをシリアル通信器１１ｃ、５ｂに伝え送信を行わせる。また、プロトコル変換ユニット５を通じて受信した情報を記憶装置１１ｂに蓄積させるなどの機能を有する。さらに、受信した情報が印刷目的の情報であると判断した場合は、プリンタ１０に対して印刷を行わせるなどの機能も有する。
【００３０】
プロトコル変換ユニット５は、PLCユニット１１から受信したシリアル形式の情報をHTTPプロトコル形式の情報に変換し、外部インターネット通信回線６を通じてサーバ１に伝える機能を有する。また逆に、サーバ１から送信された情報をHTTPプロトコル形式から、シリアル形式の情報に変換し、PLCユニット１１へ送信する機能を有する。さらに、DHCP機能により得られた自己IPアドレスや、サーバ１のIPアドレスなどの情報を記憶したり、通信情報を一時蓄積される目的の記憶装置５ｃを有し、通信の高速化を計る工夫も成されている。
【００３１】
図４に示すように、本発明の業務用インターネット端末システムによれば、ステップ４０１に示す場合に応じて、ステップ４０２又はステップ４０５以下の処理が実行される。即ち、クライアントが直接店に立ち寄り、各店の端末装置４を操作する場合には、ステップ４０２以下の処理となる。また、携帯電話１３やパソコン１４を用いて外部から連絡した場合はステップ４０５以下の処理が行われる。
【００３２】
ステップ４０２のクライアントの端末直接操作による処理では、各端末で予約に関する通常処理が為され、ステップ４０３でその結果がサーバ１へ報告される。
【００３３】
各端末４の通常処理では、設置店の利用客により、通信端末機のタッチパネル９の画面内の予約スイッチが押されると、PLC１１aは人数、カウンターボックスなど希望席種等の情報を入力できるよう案内画面を順次表示させ、必要情報を入力させ、それを一旦記憶する。
【００３４】
一通りの情報が入力されると、PLC１１aはその情報に従って、ステップ４０３で予約情報としてテキスト形式の命令を作成し、サーバ１へ送信する。ステップ４０４で、サーバ１は、これを集約し、管理する。
【００３５】
一方、ステップ４０５で各クライアントから1つの店に対し予約が入力されると、この信号をサーバ１で受け、サーバ１は受信した命令から、予約の受付け情報をもとに、現在の待ち組数や予想待ち時間などの計算をし、店舗別の予約情報として記憶し、ステップ４０６でそれらの情報や印刷情報を対応する端末処理装置４に送信する。これにより、例えば地方にいながら、東京本店に対し、時間を定めての予約も行うことができる。
【００３６】
ステップ４０６で各端末装置４へ報告されると、各端末装置４はステップ４０７で後処理を行う。この後処理は、PLC１１aがサーバ１から受信した最新の情報をモニタ表示して、情報の整列などの必要な処理を行い、記憶装置１１ｂ内に記憶する。表示ユニット８は、これらの情報を常時、監視しながらわかりやすい形式で表示し、各店の店員に知らしめる。同時に、予約した利用客の予約番号等の情報は、印字情報としてプリンタ１０に送信し印字することもできる。
【００３７】
上記のような情報の送受信がインターネット上で行われることにより予約システムは構築される。また各店に配置した端末装置４を用いるのと同様に携帯電話１３やパソコン１４からの予約も可能にしており、各端末装置４との処理の違いは、プリンタ１０の印刷機能が含まれないだけである。これらのサービスを提供する店舗数や携帯電話１３或いはパソコン１４から入ってくる予約情報が膨大な件数として同時に発生し、サーバ１、２はこれらを瞬時に行う必要があることから、先着順に高速で処理される必要がある。そのため、通信手順が現在ではHTTPプロトコルで行う必要がある。本発明は、各店に対し、ウェブサーバ２を介して固有の順序信号に処理して、これをPLC１１aで処理するので、従来のパソコンでは回避できなかった不具合を解決し、フリーズ極小、ウィルス侵入レスにて、高品質の予約処理が可能である。
【００３８】
図５は、図３に示した端末装置４に対し、携帯可能な付属の表示ユニット１５を設けた例を示す。コード１６は設けても良く、無線とすることもできる。また、付属の表示ユニット１５は、複数とすることもできる。
【００３９】
付属の表示ユニット１５の構成は、本体装置４に設けた表示ユニット８と同様であり、タッチパネル９と、記憶装置１２を有する。
【００４０】
付属の表示ユニット１５を携帯可能に設けることにより、店に据え置いた表示ユニット８とは別に、例えば店員が手に取り、或いは任意の場所でクライアントが手入力することができる。両表示ユニット８、１５には夫々の記憶装置１２が設けられているので、表示方式等を適切化でき、かつ同時的な処理が行える。
【００４１】
また、銀行のATM端末に見られるような行列のできる処理において、行列で待つ間に入力処理のみ終了することができ、待合時間を格別に省略できる効果もある。
【００４２】
以上の構成により、端末装置４のタッチパネル９を用いて予約処理が可能であり、予約内容はプリンタ１０を介してシート上に出力できる。また、その状況は都度サーバ１に対し送信可能であり、サーバ１は全体を総括管理することができる。さらに、携帯電話１３や他のパソコン１４等からの信号は、サーバ１、２で処理の後サーバ１、２を介して端末装置４へ報告されるので、複数信号を恰も同時処理することが可能である。端末装置４としては、フリーズ極小の特製コンピュータ４を用いているので、フリーズレスであり、これによりフリーズ問題が解消された。各端末のアドレスに対する通信信号は、ウェブサーバ２を介して処理されるので、各端末４に対しウィルス侵入の恐れもない。各端末の情報は、サーバ１で総括管理されるので、全情報は、相互にバックアップされた形であり、サーバ１側へのウィルス侵入があったとしても、即座に修復できる。
【００４３】
本発明は、上記実施形態に限定されるものではなく、本発明の要旨を逸脱しない範囲で適宜変形して実施でき、各種態様で実施し得る。
【図面の簡単な説明】
【００４４】
【図１】本発明を実施した業務用インターネット端末システムの構成を示す説明図である。
【図２】図１に示した予約端末の外観を示す斜視図である。
【図３】本発明を実施した業務用インターネット端末システムの具体的な構成を示すブロック図である。
【図４】本発明の業務用インターネット端末システムの処理方式を示すフローチャートである。
【図５】本発明の他の実施形態を示すブロック図である。
【符号の説明】
【００４５】
１  データベースサーバ
２  ウェブサーバ
３（３−１、３−２、３−３、３−４）  パケット交換機
４  端末装置
５  プロトコル変換ユニット
５ｂ、１１ｃ  シリアル通信器
５ｃ、１１ｂ、１２  記憶装置
６  インターネット通信回線
７  シリアル通信回線
８  表示ユニット
９  タッチパネル
１０  プリンタ
１１  PLCユニット
１３  携帯電話
１４  パソコン
１５  付属の表示ユニット
１６  コード
(1)、(2)、(3)  パケット
【図１】
2005174001.tif 000003
【図２】
2005174001.tif 000004
【図３】
2005174001.tif 000005
【図４】
2005174001.tif 000006
【図５】
2005174001.tif 000007